(57)【要約】本発明は、緊急制動時における運転者を支援するための車両（１０）の制動装置（１２）の制御方法であって、車両（１０）は、緊急制動手順を活性化するために、特に制動状態を表すデータを利用する、制動装置（１２）の電子制御装置（５８）を有し、電子制御装置（５８）は、緊急制動手順を活性化するために、各制動状態を緊急制動の始動度に結び付ける、２次のファジー関係である制御則を使用し、緊急制動の始動度の値は、ｎ個の計算ステップの間に、緊急制動の始動度が、ｎ個の増大または等しいゼロでない値をとり、ｎ番目の値が１に等しいときに緊急制動手順を活性化するように、０と１の間を線形に変化することを特徴とする、緊急制動時における運転者を支援するための車両（１０）の制動装置（１２）の制御方法を提供する。
2005506235.tif 000002
【特許請求の範囲】
【請求項１】
緊急制動時における運転者を支援するための車両（１０）の制動装置（１２）の制御方法であって、
上記車両（１０）は、上記車両（１０）の車輪（１６）に作用するブレーキ（１４）と、上記運転者による上記ブレーキ（１４）の操作装置（２０）と、上記操作装置（２０）に対する上記運転者の操作に応じて、所定の増幅のルールに従って、制動の力の強さを増幅する制動補助装置（２４）と、制動時における上記車輪（１６）のブロッキングを防止するためのブレーキ制御手段、すなわちアンチブロッキング装置と、制動の強さを増幅する上記増幅のルールを変更する手段とを有し、
制動の強さを増幅する上記増幅のルールを変更する手段は、センサ（６４）によって供給される、特に代表的には：
−上記運転者によって上記ブレーキ（１４）の上記操作装置（２０）に加えられる力の強さ（Ｆ）と；
−制動の強さ（Ｃｐ）と制動の強さの時間的な変化（Ｖｐ）とによって定義される制動状態（Ｅｆ）と；
−上記車両（１０）の縦方向の瞬間的な移動速度（Ｖｖ）と；
のデータを利用する、上記制動装置（１２）を制御する電子制御装置（５８）を有し、
上記データは、上記電子制御装置（５８）が、上記車両（１０）に最大限の減速をもたらすために、上記アンチブロッキング装置が始動するまで、制動の力の強さを増強させるように、上記増幅のルールを変更する緊急制動手順（ＳＦＵ）の活性化を指令するように、緊急制動状態を検出することを特に可能にする、
緊急制動時における運転者を支援するための車両（１０）の制動装置（１２）の制御方法において、
上記緊急制動手順（ＳＦＵ）を活性化するために、上記電子制御装置（５８）は、各上記制動状態（Ｅｆ）を、緊急制動の始動度（Ｄｆ）に結び付ける、２次のファジー関係である制御則を使用し、
上記緊急制動の始動度（Ｄｆ）の値は、０と１の間を線形に変化し、ｎ個の計算ステップの間に、上記緊急制動の始動度（Ｄｆ）が、ｎ個の増大するかまたは等しい、ゼロでない値をとり、ｎ番目の値が１に等しいときに、上記緊急制動手順（ＳＦＵ）を活性化するように、次の値：
−上記ファジー関係の外側にあるときには値０；
−上記ファジー関係の中核部にあるときには値１；および、
−上記ファジー関係のファジー領域にあるときには、０と１の間に含まれる値；  をとる、
ことを特徴とする、緊急制動時における運転者を支援するための車両（１０）の制動装置（１２）の制御方法。
【請求項２】
上記ｎが３であることを特徴とする、請求項１に記載の、緊急制動時における運転者を支援するための車両（１０）の制動装置（１２）の制御方法。
【請求項３】
上記電子制御装置（５８）は、上記運転者によって要求される加速度の強さ（Ａｃｃ）と、上記ブレーキ（１４）の上記操作装置（２０）に加えられる上記力の強さ（Ｆ）とに応じて、上記運転者の挙動のタイプを表し、制動を躊躇する運転者に対応する低い値と、制動を確実に行う運転者に対応する高い値との間に含まれる、短期の診断（Ｄｃｔ）の値を決めるために、短期の診断を実行し、
上記電子制御装置（５８）は、上記短期の診断（Ｄｃｔ）の値に応じて、上記短期の診断（Ｄｃｔ）の値がより大であるときには、緊急制動始動のファジー領域により到達しにくく、上記短期の診断（Ｄｃｔ）の値がより小であるときには、緊急制動始動のファジー領域により到達し易いように、上記緊急制動手順（ＳＦＵ）を活性化する上記制御則の上記ファジー関係を変更する、
ことを特徴とする請求項１または２に記載の、緊急制動時における運転者を支援するための車両（１０）の制動装置（１２）の制御方法。
【請求項４】
上記制御則は、それぞれ上記短期の診断（Ｄｃｔ）の高い値のために理想的な制御則と、上記短期の診断（Ｄｃｔ）の低い値のために理想的な制御則とに対応する、少なくとも２つのファジー関係、すなわち基準の関係を含み、
決定された上記短期の診断（Ｄｃｔ）の値について上記制御則によって使用される上記ファジー関係は、上記基準の関係の線形内挿によって計算される、
ことを特徴とする請求項３に記載の、緊急制動時における運転者を支援するための車両（１０）の制動装置（１２）の制御方法。
【請求項５】
上記制御則は、上記高い値と上記低い値との中間の上記短期の診断（Ｄｃｔ）の値のために理想的な制御則に対応する、中間の基準の関係を含むことを特徴とする、請求項４に記載の、緊急制動時における運転者を支援するための車両（１０）の制動装置（１２）の制御方法。
【請求項６】
上記基準の関係は、一連の実験から出発して、所定の車両について確立されることを特徴とする、請求項４または５に記載の、緊急制動時における運転者を支援するための車両（１０）の制動装置（１２）の制御方法。
【請求項７】
上記短期の診断（Ｄｃｔ）は、上記車両（１０）の移動中に、定められた頻度で、継続的に実行されることを特徴とする請求項３〜６のいずれか１つに記載の、緊急制動時における運転者を支援するための車両（１０）の制動装置（１２）の制御方法。
【請求項８】
上記電子制御装置（５８）は、上記短期の診断（Ｄｃｔ）の値から出発して、上記短期の診断（Ｄｃｔ）の値の増大に追随するが、それ自身はよりゆっくりと減少する、中期の診断（Ｄｍｔ）の値を計算し、
上記電子制御装置（５８）は、上記中期の診断（Ｄｍｔ）の値を、運転者の挙動を表す値として使用する、
ことを特徴とする請求項３〜７のいずれか１つに記載の、緊急制動時における運転者を支援するための車両（１０）の制動装置（１２）の制御方法。
【請求項９】
上記中期の診断（Ｄｍｔ）の値は：
もし、瞬間ｔにおける上記短期の診断（Ｄｃｔ）の値が、瞬間ｔ−１における上記中期の診断（Ｄｍｔ）の値よりも大または等しいなら、瞬間ｔにおける上記中期の診断（Ｄｍｔ）の値は、上記瞬間ｔにおける上記短期の診断（Ｄｃｔ）の値に等しく；
もし、上記瞬間ｔにおける上記短期の診断（Ｄｃｔ）の値が、上記瞬間ｔ−１における上記中期の診断（Ｄｍｔ）の値よりも小さいなら、上記瞬間ｔにおける上記中期の診断（Ｄｍｔ）の値は、上記瞬間ｔ−１における上記中期の診断（Ｄｍｔ）の値から、減分だけ減らされた値に等しい；
として計算されることを特徴とする請求項８に記載の、緊急制動時における運転者を支援するための車両（１０）の制動装置（１２）の制御方法。
【請求項１０】
上記短期の診断（Ｄｃｔ）の値は、低い値０．３と高い値０．７との間に含まれることを特徴とする請求項３〜９のいずれか１つに記載の、緊急制動時における運転者を支援するための車両（１０）の制動装置（１２）の制御方法。
【請求項１１】
上記電子制御装置（５８）は、以下の条件：
−上記車両（１０）の速度（Ｖｖ）が、所定の最低速度（Ｖｍｉｎ）よりも低い；
−上記ブレーキ（１４）の上記操作装置（２０）に加えられる上記力の強さ（Ｆ）が、ｉ個の計算ステップの間に与えられた中間の力（Ｆｉｎｔ）よりも小さく、その値は減少するかゼロで、ｉ番目の値は与えられた最小の力Ｆ（ｍｉｎ）よりも小さい；
−上記ブレーキ（１４）の上記操作装置（２０）に加えられる上記力の強さ（Ｆ）が、ｉ個の計算ステップの間、進行中の上記緊急制動手順（ＳＦＵ）の活性化の間に測定された力の強さの最大値（Ｆｍａｘ）の与えられたパーセンテージよりも小さく、その値は減少するかゼロである；
の少なくとも１つが満たされたときに、上記緊急制動手順（ＳＦＵ）の不活性化を指令することを特徴とする請求項１〜１０のいずれか１つに記載の、緊急制動時における運転者を支援するための車両（１０）の制動装置（１２）の制御方法。
【請求項１２】
上記ブレーキ（１４）の上記操作装置（２０）に加えられる上記力の強さ（Ｆ）が、ｉ個の計算ステップの間、進行中の上記緊急制動手順（ＳＦＵ）の活性化の間に測定された力の強さの最大値（Ｆｍａｘ）の与えられたパーセンテージよりも小さく、その値は減少するかゼロであるときには、上記電子制御装置（５８）は、上記緊急制動手順（ＳＦＵ）の漸進的な不活性化を指令することを特徴とする請求項１１に記載の、緊急制動時における運転者を支援するための車両（１０）の制動装置（１２）の制御方法。
【請求項１３】
上記電子制御装置（５８）は、上記緊急制動手順（ＳＦＵ）の活性化後、限時時間（Ｔｐ）を監視し、以下の条件：
−上記ブレーキ（１４）の上記操作装置（２０）に加えられる上記力の強さ（Ｆ）が、所定の弱い強さの力（Ｆｆ１）よりも低い；
−上記ブレーキ（１４）の上記操作装置（２０）に加えられる上記力の強さ（Ｆ）が、ｊ個の計算ステップの間、所定の中央の力（Ｆｍｅ）よりも低く、その値は減少するかゼロである；
の１つが満たされたら、上記電子制御装置（５８）は、上記緊急制動手順（ＳＦＵ）の急激な不活性化のみを指令することを特徴とする請求項１１または１２に記載の、緊急制動時における運転者を支援するための車両（１０）の制動装置（１２）の制御方法。
【請求項１４】
上記制動補助装置（２４）は、上記ブレーキ（１４）の上記操作装置（２０）と上記ブレーキ（１４）の作動装置（２２）との間に設けられた倍力装置（２６）を有し、
上記倍力装置（２６）は、２つのチャンバー（３０、３２）の境界を定め、上記ブレーキ（１４）の上記作動装置（２２）に作用する、軸方向に滑動するピストン（３４）を備えたシリンダ（２８）を有し、
上記制動装置（１２）は、それぞれ制動の強さを表すデータと、制動の強さの時間的変化を表すデータとに対応する、上記ピストン（３４）の移動距離（Ｃｐ）と、上記ピストン（３４）の速度（Ｖｐ）を測定するセンサを有する、
ことを特徴とする請求項１〜１３のいずれか１つに記載の、緊急制動時における運転者を支援するための車両（１０）の制動装置（１２）の制御方法。
【発明の詳細な説明】
【技術分野】
【０００１】
本発明は、車両の制動装置の制御方法に関する。
本発明は、特に、緊急制動時における運転者を支援するための車両の制動装置の制御方法であって、
上記車両は、上記車両の車輪に作用するブレーキと、上記運転者による上記ブレーキの操作装置と、上記操作装置に対する上記運転者の操作に応じて、所定の増幅のルールに従って、制動時における制動力の強さを増幅する制動補助装置と、制動時における上記車輪のブロッキングを防止するためのブレーキ制御手段、すなわちアンチブロッキング装置と、制動の強さを増幅する上記増幅のルールを変更する手段とを有し、
制動の強さを増幅する上記増幅のルールを変更する手段は、センサによって供給される、特に代表的には：
−上記運転者によって上記ブレーキの上記操作装置に加えられる力の強さと；
−制動の強さと制動の強さの時間的な変化とによって定義される制動状態と；
−上記車両の縦方向の瞬間的な移動速度と；
のデータを利用する、上記制動装置を制御する電子制御装置を有し、
上記データは、上記電子制御装置が、上記車両に最大限の減速をもたらすために、上記アンチブロッキング装置が始動するまで、制動の力の強さを増強させるように、上記増幅のルールを変更する緊急制動手順の活性化を指令するように、緊急制動状態を検出することを特に可能にする、
緊急制動時における運転者を支援するための車両の制動装置の制御方法に関する。
【背景技術】
【０００２】
何年も前から、制動装置がアンチブロッキング装置を有する車両が存在している。アンチブロッキング装置は、車輪がブロックされることなく車両に最大限の減速度を得させることを可能にし、過激な制動時に車両の軌跡のコントロールの維持を可能にする。
従って、アンチブロッキング装置は、運転者に、運転者が緊急状態と判断する際に、ブレーキペダルに加える圧力を調整する配慮をすることなく、従ってその車両をできるだけ早く減速することのみに専心して、ブレーキペダルに極めて大きな圧力を加えることを可能にする。
【０００３】
しかしながら、調査によれば、運転者は、ブレーキペダルを充分に踏み込まないか、緊急状態に直面して躊躇するか、あるいはこれらの２つの理由で、しばしばアンチブロッキング装置を有する制動装置の能力を最大限には利用しないということが示されている。
この問題を解決するために、例えば車両の速度及び運転者から要求される制動の強さ等に関する情報を供給する複数のセンサに基づいて、車両と運転者の挙動を常時監視して、緊急制動の状態を検出し、車両にその最大能力まで制動がかかるのに充分な制動圧力を加えることを可能にする、緊急制動支援装置が提案されている。
【０００４】
このようにして実現される緊急制動は、車輪が常にブロッキングの限界にあるように制動力を維持することからなる。
【０００５】
緊急制動の不活性化は、運転者がブレーキペダルを緩めた時、または車両の速度が３ｋｍ／ｈ以下である時に行なわれる。
【０００６】
緊急状態を検出するためのプロトコールは、車両のパラメータを利用し、これらをマッピングと照合する。このマッピングは、始動度が０である通常の制動ゾーンと、始動度が１の値をとる緊急制動のゾーンとの、２つのゾーンを画定する。
この緊急制動支援装置は、これらの２つのゾーンの境界の通過（０から１への移行）があると、直ちに活性化される。従って、制御則は、２進型である。
【発明の開示】
【発明が解決しようとする課題】
【０００７】
このような従来の緊急制動支援装置においては、２進の特性のために、このマッピングは、個々のの運転者に特有の挙動に適応することはできず、従って妥協したものになる。
このことは、熟練した運転者に対しては、不適当な時期に緊急制動手順の始動を発生させるという問題を、また躊躇する運転者に対しては、緊急の場合であっても、緊急制動手順が始動しないという問題をもたらす。
【０００８】
さらに、緊急制動支援装置は、緊急制動手順の不活性化の際に、制動を調整することができない。
このため、一旦緊急制動手順が活性化されると、進行中の制動に不活性化が発生する場合を別にして、運転者はもはやその制動を支配することはできない。
緊急制動支援装置の不活性化の原理によって、運転者が緊急状態がないか、あるいは緊急状態である理由がないと考える場合には、ブレーキペダルを完全に緩める必要性が導かれる。
従って、緊急制動支援装置は、運転者の緊急制動を不活性化するという意志を認識することはできない。緊急制動支援装置は、車両が停止させられた、またはブレーキペダルから足が上げられた情報のみを認識する。
このことは、不適当な時期の緊急制動の活性化についてますます有害であり、例えば、緊急でないのに押しつけられた制動に対して、熟練した運転者は、その意志（減速を小さくする）に反して動作する装置に我慢できない。
【課題を解決するための手段】
【０００９】
本発明は上記問題点を解決することを目的とする。
【００１０】
この目的のために、本発明は、上記の「技術分野」に記載した、緊急制動時における運転者を支援するための車両の制動装置の制御方法において、
緊急制動手順を活性化するために、電子制御装置は、制動状態を、緊急制動の始動度に結び付ける、２次のファジー関係である制御則を使用し、
上記緊急制動の始動度の値は、０と１の間を線形に変化し、ｎ個の計算ステップの間に、上記緊急制動の始動度が、ｎ個の増大するかまたは等しい、ゼロでない値をとり、ｎ番目の値が１に等しいときに、上記緊急制動手順を活性化するように、次の値：
−上記ファジー関係の外側にあるときには値０；
−上記ファジー関係の中核部にあるときには値１；および、
−上記ファジー関係のファジー領域にあるときには、０と１の間に含まれる値；  をとる、
ことを特徴とする、緊急制動時における運転者を支援するための車両の制動装置の制御方法を提供する。
【００１１】
本発明のその他の特徴によれば：
−上記ｎは３に等しく；
−上記電子制御装置は、上記運転者によって要求される加速度の強さと、ブレーキの操作装置に加えられる力の強さとに応じて、上記運転者の挙動のタイプを表し、制動を躊躇する運転者に対応する低い値と、制動を確実に行う運転者に対応する高い値との間に含まれる、短期の診断の値を決めるために、短期の診断を実行し、上記電子制御装置は、上記短期の診断の値に応じて、上記短期の診断の値がより大であるときには、緊急制動始動のファジー領域により到達しにくく、上記短期の診断の値がより小であるときには、緊急制動始動のファジー領域により到達し易いように、上記緊急制動手順を活性化する上記制御則の上記ファジー関係を変更し；
−上記制御則は、それぞれ上記短期の診断の高い値のために理想的な制御則と、上記短期の診断の低い値のために理想的な制御則とに対応する、少なくとも２つのファジー関係、すなわち基準の関係を含み、決定された上記短期の診断の値について上記制御則によって使用される上記ファジー関係は、上記基準の関係の線形内挿によって計算され；
−上記制御則は、上記高い値と上記低い値との中間の上記短期の診断の値のために理想的な制御則に対応する、中間の基準の関係を含み；
−上記基準の関係は、一連の実験から出発して、所定の車両について確立され；
−上記短期の診断は、上記車両の移動中に、定められた頻度で、継続的に実行され；
−上記電子制御装置は、上記短期の診断の値から出発して、上記短期の診断の値の増大に追随するが、それ自身はよりゆっくりと減少する、中期の診断の値を計算し、上記電子制御装置は、上記中期の診断の値を、運転者の挙動を表す値として使用し；
−上記中期の診断の値は：
・もし、瞬間ｔにおける上記短期の診断の値が、瞬間ｔ−１における上記中期の診断の値よりも大または等しいなら、瞬間ｔにおける上記中期の診断の値は、上記瞬間ｔにおける上記短期の診断の値に等しく；
・もし、上記瞬間ｔにおける上記短期の診断の値が、上記瞬間ｔ−１における上記中期の診断の値よりも小さいなら、上記瞬間ｔにおける上記中期の診断の値は、上記瞬間ｔ−１における上記中期の診断の値から、減分だけ減らされた値に等しい；
として計算され；
−上記短期の診断の値は、低い値０．３と高い値０．７との間に含まれ；
−上記電子制御装置は、以下の条件：
・上記車両の速度が、所定の最低速度よりも低い；
・上記ブレーキの上記操作装置に加えられる上記力の強さが、ｉ個の計算ステップの間に与えられた中間の力よりも小さく、その値は減少するかゼロで、ｉ番目の値は与えられた最小の力よりも小さい；
・上記ブレーキの上記操作装置に加えられる上記力の強さが、ｉ個の計算ステップの間、進行中の上記緊急制動手順の活性化の間に測定された力の強さの最大値の与えられたパーセンテージよりも小さく、その値は減少するかゼロである；
の少なくとも１つが満たされたときに、上記緊急制動手順の不活性化を指令し；
−上記ブレーキの上記操作装置に加えられる上記力の強さが、ｉ個の計算ステップの間、進行中の上記緊急制動手順の活性化の間に測定された力の強さの最大値の与えられたパーセンテージよりも小さく、その値は減少するかゼロであるときには、上記電子制御装置は、上記緊急制動手順の漸進的な不活性化を指令し；
−上記電子制御装置は、上記緊急制動手順の活性化後、限時時間を監視し、以下の条件：
・上記ブレーキの上記操作装置に加えられる上記力の強さが、所定の弱い強さの力よりも低い；
・上記ブレーキの上記操作装置に加えられる上記力の強さが、ｊ個の計算ステップの間、所定の中央の力よりも低く、その値は減少するかゼロである；
の１つが満たされたら、上記電子制御装置は、上記緊急制動手順の急激な不活性化のみを指令し；
−上記制動補助装置は、上記ブレーキの上記操作装置と上記ブレーキの作動装置との間に設けられた倍力装置を有し、上記倍力装置は、２つのチャンバーの境界を定め、上記ブレーキの上記作動装置に作用する、軸方向に滑動するピストンを備えたシリンダを有し、上記制動装置は、それぞれ制動の強さを表すデータと、制動の強さの時間的変化を表すデータとに対応する、上記ピストンの移動距離と、上記ピストンの速度を測定するセンサを有する。
【発明を実施するための最良の形態】
【００１２】
本発明のその他の特徴及び利点は、理解のために添付図面を参照して以下の詳細な説明を読むことによって明らかとなるであろう。これらの図において：
−図１は、本発明による方法を実施するための制動装置を備えた車両を示す略図である。
−図２は、休止位置におけるブレーキの倍力装置を示す軸方向略断面図である。
−図３は、作動位置におけるブレーキの倍力装置を示す図２に類似の図である。
−図４は、「穏やかな」運転者の場合における、本発明による緊急制動手順の活性化の制御則を示すグラフである。
−図５は、「スポーティな」運転者の場合における、本発明による緊急制動手順の活性化の制御則を示す図４に類似のグラフである。
−図６は、本発明による緊急制動手順の不活性化の原則を示す流れ図である。
【００１３】
図１に、本発明による方法を実施するための制動装置１２を備えた車両１０を示す。
制動装置１２は、制御用の油圧回路１８の内部の圧力に応じて車両１０の各車輪１６に作用するブレーキ１４を含んでなる。
運転者は、例えばブレーキペダル（操作装置）２０によってブレーキ１４を制御する。操作装置２０は、油圧回路１８の中の圧力を変化させる、マスタシリンダ（作動装置）２２に作用する。
制動補助装置２４が、ブレーキペダル２０とマスタシリンダ２２との間に設けられる。
制動補助装置２４は、所定の増幅の規則に従って、ブレーキペダル２０への運転者の押力に応じて制動力の強さを増幅する。
従って、制動補助装置２４は、ブレーキペダル２０へ加えられる運転者の弱い力に代えて、油圧回路１８の中の大きな圧力を得ることを可能にする。
【００１４】
図２、３に、負圧によって動作する、マスターバク（mastervac）型の空圧式の倍力装置２６を含んでなる制動補助装置２４の１例の概略を示す。
【００１５】
ブレーキペダル２０とマスタシリンダ２２との間に挿入される倍力装置２６は、軸方向に滑動する可動のピストン３４によって２つのチャンバー３０、３２に分割された、大口径の制御用のシリンダ２８を含んでなる。
【００１６】
以下の記述においては、制御用のシリンダ２８の軸Ａ−Ａに沿った、図２、３における左から右への方向に相当する、後から前への軸方向の向きを用いる。
【００１７】
シリンダ２８と同心の螺旋型の圧縮バネ３６が、休止状態にあるピストン３４を、その移動行程の後方の軸方向の端で支持する。
ピストン３４は、前後に伸び、その前方端部の横方向の面４０が、マスタシリンダ２２のスラスト軸４２の後方軸端部に対向して軸方向に支持された、中央の管状体３８を有する。
後部のチャンバー３０は、管状体３８の中央の後部オリフィス４４を通して大気圧を受ける外部と、また管状体３８の中央の前部オリフィス４６を通して負圧を受ける前部のチャンバー３２と通じている。
前部のチャンバー３２は、逆止弁（図示しない）を備えた負圧導管４８を通して負圧源と通じている。
負圧は、例えば、真空ポンプまたは減速段階におけるガソリンエンジンの吸気管の中を支配する負圧によって供給される。
ブレーキペダル２０によって軸方向の変位を操作される制御軸５０は、ピストン３４の管状体３８の中を軸方向に滑動し、制御弁５２を有している。
制御弁５２は、後部オリフィスを塞ぐことができる後部の弁５４と、前部オリフィスを塞ぐことができる前部の弁５６とを有し、２つの弁５４、５６は互いに連結されている。
【００１８】
図２に示す休止位置においては、ブレーキペダル２０は作動されておらず、２つのチャンバー３０、３２は、前部オリフィス４６を通して連通しており、従ってそれらは大気圧よりも低い同じ圧力を受けており、後部の弁５４は、後部オリフィス４４を塞いでいる。
【００１９】
図３に示す作動位置においては、運転者は、ブレーキペダル２０を踏み込み、ブレーキペダル２０は、制御軸５０を前方へ変位させる。
制御軸５０の前方への変位は、制御弁５２を動かし、後部の弁５４の開口と前部の弁５６の閉鎖を引き起こす。
従って、大気圧の空気が、後部の弁５４を通って後部のチャンバー３０へ浸入する。
この時、２つのチャンバー３０、３２は、同じ圧力を受けない。ピストン３４の両面間の圧力差は、ピストン３４の前方への軸方向の変位をもたらす。
ピストン３４の管状体３８は、移動しながらスラスト軸４２を軸方向に押し付け、スラスト軸４２は、所定の制動油圧力を生じるようにマスタシリンダ２２に作用する。
スラスト軸４２に作用する押力の強さは、ピストン３４の両面間の圧力差に依存する。
圧力差が大である程、押力は強く、倍力装置２６の作用は大きくなる。
運転者によってブレーキペダル２０へ加えられた力に比例して、ピストン３４の両面間の圧力差の割合を決めるのは、制御弁５２である。
運転者によって加えられた力に応じた、倍力装置２６による制動力の強さの増幅は、略線形である所定の増幅のルールに従う。
【００２０】
また車両は、制動装置１２を制御する電子制御装置５８を有する。
電子制御装置５８は、車輪１６のアンチブロッキングの機能を特に実現することを可能にする。
このために、電子制御装置５８は、センサ６０によって検知した制動中の各車輪の速度Ｖｒを例えば分析し、次いで、車輪１６のブロッキングを防止するように、各車輪１６へ加えられる制動の油圧を指示する。
【００２１】
また電子制御装置５８は、車両１０に最大限の減速をもたらす目的で、緊急制動手順ＳＦＵを起動するように、緊急制動状態を検出することを可能である。
緊急制動手順ＳＦＵが起動されたときには、電子制御装置５８は、アンチブロッキング装置が始動するまで、制動力の強さを増加させるように増幅のルールを変更することによって、制動補助装置２４を制御する。このことは、車両１０の最大限の減速を得ることを可能にする。
増幅のルールを変更するために、電子制御装置５８は、ブレーキペダル２０を用いて制御軸５０に加えられる運転者の力とは独立に後部の弁５４が開口するように、例えば倍力装置２６の制御弁５２を操作する。このことは、２つのチャンバー３０、３２の間の圧力差、従って制動の強さを増加させる。
【００２２】
電子制御装置５８は、他のセンサから発生された情報を受ける。
加速度センサ６２は、運転者によって要求された加速度Ａｃｃの強さについての情報を電子制御装置５８に与える。
要求された加速度の強さを表す加速度Ａｃｃのデータは、用いられるエンジンの様式に関係する。
【００２３】
そのセンサとしては、安価で、車両１０への装着が簡単な加速度センサ６２を選ぶと有利である。
シリンダの中へのガスの吸気弁を有する燃焼エンジンを備えた車両１０については、吸気弁の開度を計測する加速度センサ６２を選ぶことが望ましい。
【００２４】
また、車両１０は、車両１０の縦方向の移動の速度Ｖｖを計測する速度センサ６４を有する。
速度センサ６４は、どの瞬間に緊急制動手順ＳＦＵを不活性化するかを決定するために、電子制御装置５８に必要である。
【００２５】
ブレーキ１４の操作装置２０は、電子制御装置５８に、倍力装置２６の制御軸５０に運転者によって加えられた力Ｆの値についての情報を知らせるセンサ（図示しない）を有する。この力Ｆの値は、運転者によって要求される制動の強さを表している。
【００２６】
ブレーキペダル２０の移動距離は、一般に、運転者によって要求される制動の強さを表さない。
実際、従来の制動装置１２においては、ブレーキペダル２０と倍力装置２６の制御軸５０は恒久的に連結されており、このことは、電子制御装置５８が制動力の所定の増幅を指令すると、倍力装置２６もブレーキペダル２０に作用を及ぼし、ブレーキペダル２０はその分沈み込むことを意味する。
従って、ブレーキペダル２０の移動距離のデータは、運転者の意志によるブレーキペダル２０への作用と、倍力装置２６のブレーキペダル２０への「無意識」の作用とを区別しない。
制御軸５０に加えられた力Ｆは、運転者によって実際にブレーキペダル２０へ加えられる力を表す。
例えば電子制御のブレーキ１４の操作装置２０の場合にあり得るように、もしブレーキペダル２０が倍力装置２６から切り離されていれば、ブレーキペダル２０の移動距離のデータは、制動についての運転者の意志表すことができる。
【００２７】
制動補助装置２４は、電子制御装置５８に倍力装置２６のピストン３４の移動距離Ｃｐについての情報を知らせるセンサ（図示しない）を有する。
ピストンの移動距離Ｃｐは、スラスト軸４２からマスタシリンダ２２へ実際に伝達される軸方向の変位を表すので、制動の強さを表す値である。
電子制御装置５８は、ピストンの移動距離Ｃｐの複数の測定値から、ピストン３４のの軸方向の移動速度、すなわちピストンの速度Ｖｐを決定する。
ピストンの速度Ｖｐは、制動の強さの時間的な変化を表す。
所定の瞬間のピストンの移動距離Ｃｐとピストンの速度Ｖｐから構成されるデータの対は、制動状態Ｅｐを定義する。
ピストンの移動距離Ｃｐに基づくセンサは、安価であるから、ブレーキペダル２０の移動距離のセンサよりも望ましい。
更に、ピストンの移動距離Ｃｐに基づくセンサは、ブレーキペダル２０は回転運動するのに対し、ピストン３４は平行運動し、ピストンの移動距離Ｃｐは、ブレーキペダル２０における機械的な遊び、特に摩耗に起因する遊びを含まないので、より現実的で、より信頼性が高い。
【００２８】
本発明の教訓によれば、電子制御装置５８は、緊急制動手順ＳＦＵを活性化するために、制御則を使用する。この制御則は、各ブレーキの状態Ｅｆを緊急制動の始動度Ｄｆに結び付ける、２次のファジー関係である。
図４に、緊急制動手順ＳＦＵを活性化するための制御則の１例を示す。
図４において、横座標にピストンの移動距離Ｃｐをミリメータで、縦座標にピストンの速度Ｖｐをミリメータ／秒で示す。
【００２９】
緊急制動の始動度Ｄｆの値は、０と１の間を線形に変化する。
図の点Ａのように、ファジー関係の外側にあるときには、緊急制動の始動度Ｄｆは０の値をとる。
ファジー関係の外側の範囲は、下の曲線Ｃ１によって画定され、図４のＣ１上とその下側の領域から成る。
緊急制動の始動度Ｄｆが０であるときには、電子制御装置５８は緊急制動手順ＳＦＵを活性化しない。
図の点Ｃのように、ファジー関係の中核部にあるときには、緊急制動の始動度Ｄｆは１の値をとる。
ファジー関係の中核部は、上の曲線Ｃ２によって画定され、図４のＣ２上とその上の領域から成る。
図の点Ｂのように、ファジー関係のファジー領域にあるときには、緊急制動の始動度Ｄｆは０と１の間に含まれる値をとる。
ファジー関係のファジー領域は、曲線Ｃ１と曲線Ｃ２の間に含まれる領域である。
【００３０】
電子制御装置５８は、ｎ個の計算ステップ中に、緊急制動の始動度Ｄｆが、ｎ個の増大するかまたは等しい、ゼロでない値をとり、ｎ番目の値が１に等しい値をとるときには、緊急制動手順ＳＦＵを活性化を指令する。
電子制御装置５８は、３００Ｈｚの計算頻度と、３に等しい計算ステップの数ｎを使用すると有利である。
従って、緊急制動手順ＳＦＵが活性化されるためには、引き続いて与えられた３個の緊急制動の始動度Ｄｆ１、Ｄｆ２、Ｄｆ３については、第１の緊急制動の始動度Ｄｆ１は０以上で、第２の緊急制動の始動度Ｄｆ２は第１の緊急制動の始動度Ｄｆ１以上かそれに等しく、第３の緊急制動の始動度Ｄｆ３は１に等しくならなければならない。
第１の緊急制動の始動度Ｄｆ１と第２の緊急制動の始動度Ｄｆ２は、確認の点である。
確認の点を使用することによって、ピストン３４の速度の信頼性の低いピークで緊急制動手順ＳＦＵが始動することを避けることが可能になる。
【００３１】
実際には、緊急制動手順ＳＦＵの不適当な時期での始動を避けること、すなわち、緊急制動を実行する運転者の意志を確認することと、緊急制動手順ＳＦＵが実際に始動する前に運転者の意志を確認するために長時間を消費しないこととの間に、妥協を見出す必要がある。
実験によって、３計算ステップ、すなわち緊急制動を決定するための引き続く３つのブレーキの状態Ｅｆの確認が最適であることが確認された。
採用した確認の手順は、適切な緊急制動手順ＳＦＵの活性化の極めて僅かな遅延しかもたらさなかった。
確認の手順は２計算ステップ、すなわち、選択した３００Ｈｚの動作頻度では約６〜７ｍｓｅｃを要する。
【００３２】
望ましくは、運転者によって採用される運転スタイルに緊急制動手順ＳＦＵの活性化のルールを適応させるために、電子制御装置５８は、例えば１０Ｈｚの所定の頻度で、運転者の挙動を定める、短期の診断Ｄｃｔと中期の診断Ｄｍｔを実行する。
電子制御装置５８は、短期の診断Ｄｃｔを実行するために、運転者の加速についての意志と、運転者の制動についての意志を表すデータＡｃｃ、Ｆをメモリに入力し、解釈する。
運転者の加速についての意志を表すデータは、例えば、１分間の期間についての吸気弁の開度の値Ａｃｃである。
運転者の制動についての意志を表すデータは、例えば、２分間の期間についての倍力装置２６の制御軸５０に加えられた力Ｆの値である。
電子制御装置５８は、これらのデータＡｃｃ、Ｆから出発して、制動についての運転者の挙動のイメージである短期の診断Ｄｃｔの値を計算する。
この短期の診断Ｄｃｔの値は、例えば躊躇する挙動の運転者についての０．３の低い値と、優れた挙動の運転者についての０．７の高い値との間に含まれる。
制動についての運転者の挙動のスタイルの推定は、緊急制動手順ＳＦＵの活性化の制御則のファジーな領域の変更を可能にする。
このようにして、「穏やかな」運転スタイルを有する運転者については、診断の値は小さくなり、制御則のファジーな領域の到達は容易になる。
このような制御則が、例えば図４に示されている。
「スポーティな」運転スタイルを有する運転者については、診断の値は高められ、制御則のファジーな領域へは、より到達し難くなる。
このような制御則が、図５に示されている。
図５から、曲線Ｃ１のピストンの速度Ｖｐの値は、図４の曲線Ｃ１の値よりも全体に高められていることが分かる。
従って、「スポーティな」運転者にとっては、０以上の緊急制動の始動度Ｄｆを得ることはより難しい。
更に、曲線Ｃ１、Ｃ２は、制御則が「穏やかな」運転者に対応するか「スポーティな」運転者に対応するかに応じて、異なる形状を有する。
【００３３】
短期の診断Ｄｃｔは連続して実行されるので、電子制御装置５８は、走行中に運転者の運転スタイルに起こりえる変更を考慮に入れる。
【００３４】
それぞれが、短期の診断Ｄｃｔの低い値（０．３）に対する理想的な制御則と、短期の診断Ｄｃｔの中間の値（０．５）に対する理想的な制御則と、短期の診断Ｄｃｔの高い値（０．７）に対する理想的な制御則の１つに対応する、３つのファジー関係が基準として有利に役に立つ。
０．３〜０．７の間に含まれる所定の短期の診断Ｄｃｔの値に対する制御則によって使用されるファジー関係は、基準のファジー関係の線形内挿によって計算される。
【００３５】
基準のファジー関係は、例えば、運転の挙動の異なるスタイルを代表する所定の数の運転者によって、所定の車両に対して実行される挙動の試験からなる、一連の実験から出発して確立される。
【００３６】
望ましくは、電子制御装置５８は、短期の診断Ｄｃｔの値を直接は使用しないで、複数の短期の診断Ｄｃｔの値から計算される、中期の診断Ｄｍｔの値を使用する。
【００３７】
中期の診断Ｄｍｔの値は、短期の診断Ｄｃｔの値の増大に追随するが、それ自身はよりゆっくりと減少する。
【００３８】
中期の診断Ｄｍｔの値は、以下のようにして計算される。
もし、瞬間ｔにおける短期の診断Ｄｃｔの値が、瞬間ｔ−１における中期の診断Ｄｍｔの値よりも大であるかまたはそれに等しいなら、瞬間ｔにおける中期の診断Ｄｍｔの値は、瞬間ｔにおける短期の診断Ｄｃｔの値に等しい。
もし、瞬間ｔにおける短期の診断Ｄｃｔの値が、瞬間ｔ−１における中期の診断Ｄｍｔの値よりも小さいなら、瞬間ｔにおける中期の診断Ｄｍｔの値は、瞬間ｔ−１における中期の診断Ｄｍｔの値から、例えば０．００１の減分だけ減らされた値である。
減分０．００１によって、１０Ｈｚの頻度で実行されている計算は、中期の診断Ｄｍｔの値が０．１だけ減少されるのに１００秒を要する。
【００３９】
電子制御装置５８が緊急制動手順ＳＦＵを活性化した後、もし車両１０が緊急制動状態のままであれば、緊急制動手順ＳＦＵは活性状態のままに留まる必要がある。
【００４０】
躊躇するタイプの運転者の場合には、運転者は十分に強く制動をかける傾向を有し、このことが緊急制動手順ＳＦＵの活性化を始動し、次いで運転者はほとんど直ちに前方へ押しつける力を改めて緩める。
この場合、電子制御装置５８は、緊急制動手順ＳＦＵを過度に速く不活性化する必要はなく、換言すれば、電子制御装置５８は、ブレーキペダル２０へ加えられた力の緩みを、緊急制動状態の終わりのサインとして解釈する必要はない。
これに反し、安全上の理由のために、ブレーキペダル２０が緩められると直ちに緊急制動手順ＳＦＵは不活性化される必要がある。
このため、電子制御装置５８は、次ぎのようにして緊急制動手順ＳＦＵの不活性化を指令する。
図６に示す流れ図は、緊急制動手順ＳＦＵの不活性化の原則を示す。
緊急制動手順ＳＦＵの活性化後、電子制御装置５８は、ここでは０．５秒に定められた限時時間Ｔｐを監視する。
限時時間Ｔｐ内にある場合には、電子制御装置５８は、次の２つの場合に緊急制動手順ＳＦＵの不活性化を指令する。
第１の場合には、もし倍力装置２６の制御軸５０に加えられた力の強さの値Ｆ１が、ブレーキペダル２０の急激な緩めに略相当する例えば３０Ｎである所定の弱い強さの力Ｆｆ１よりも低いなら、電子制御装置５８は、緊急制動手順ＳＦＵの不活性化を指令する。
第２の場合には、もし倍力装置２６の制御軸５０に加えられた力の強さの値Ｆ１が、例えば１００Ｎである所定の中央の力Ｆｍｅよりも低く、ｊ個の計算ステップの間、その値は減少するかゼロなら、電子制御装置５８は、緊急制動手順ＳＦＵの不活性化を指令する。
【００４１】
この場合、緊急制動ＳＦＵの活性化のための計算ステップの頻度に類似した頻度の、例えば３計算ステップを使用する。
【００４２】
従って、第２の場合には、もし、第１のステップで制御軸５０に加えられた力の強さＦ１が１００Ｎより小で、かつ引き続く２ステップでその強さが減少するか変化しないなら、換言すれば、もし第２ステップにおける力の強さＦ２がＦ１よりも小さいかＦ１に等しく、かつ第３ステップにおける力の強さＦ３がＦ２よりも小さいかＦ２に等しければ、電子制御装置５８は、緊急制動手順ＳＦＵの不活性化を指令する。
【００４３】
限時時間Ｔｐの間は、緊急制動手順ＳＦＵの急激な不活性化モードを用いる。換言すれば、電子制御装置５８は、制動補助装置２４の増幅のルールの変更を急激に停止する。従って、制動補助装置２４は、倍力装置２６の制御軸５０に加えられた運転者による力のみに依存する所定の増幅のルールに従って、古典的に機能する。
【００４４】
限時時間Ｔｐが経過したときには、電子制御装置５８は、急激な不活性化モードまたは漸進的な不活性化モードに従って、緊急制動手順ＳＦＵを不活性化することができる。
もし車両１０の瞬間的な速度Ｖｖが、例えば５ｋｍ／ｈの所定の最低速度Ｖｍｉｎよりも低いなら、車両１０はほとんど停止させられ、制動は終了したと考えられるので、電子制御装置５８は、緊急制動手順ＳＦＵの急激な不活性化を指令する。
【００４５】
逆の場合には、電子制御装置５８は、倍力装置２６の制御軸５０に加えられた力の強さの値Ｆ１が、例えば１３０Ｎである与えられた中間の力Ｆｉｎｔよりも小さく、ｉ個の計算ステップの間、その値は減少するかゼロで、ｉ番目の値が、例えば１００Ｎである与えられた最小の力Ｆｍｉｎよりも小さいかどうかを決定する。
【００４６】
この場合、緊急制動ＳＦＵの活性化のための計算ステップの頻度に類似した頻度の、例えば３計算ステップを使用する。
従って、もし倍力装置２６の制御軸５０に加えられた力の強さの値Ｆ１が第１のステップにおいて１３０Ｎ以下で、次いで第２のステップにおける力の強さの値Ｆ２がＦ１よりも小かＦ１に等しく、次いで第３のステップにおける力の強さの値Ｆ３が１００Ｎよりも小であれば、電子制御装置５８は、緊急制動手順ＳＦＵの急激な不活性化を指令する。
【００４７】
逆の場合には、電子制御装置５８は、倍力装置２６の制御軸５０に加えられた力の強さの値Ｆ１が、制御軸５０に加えられた力の強さの最大値Ｆｍａｘの、例えば４０％である与えられたパーセンテージよりも小さく、限時時間Ｔｐの終わり以後からｉ個の計算ステップの間、その値は減少するかゼロであるかどうかを決定する。
【００４８】
この場合、緊急制動ＳＦＵの活性化のための計算ステップの頻度に類似した頻度の、例えば３計算ステップを使用する。
従って、もし制御軸に加えられた力の強さＦ１が第１のステップにおけるＦｍａｘの４０％以下で、次いで第２のステップにおける力の強さＦ２がＦ１よりも小かＦ１に等しく、次いで第３のステップにおける力の強さＦ３がＦ２よりも小かＦ２に等しければ、電子制御装置５８は、緊急制動手順ＳＦＵの漸進的な不活性化を指令する。
【００４９】
緊急制動手順ＳＦＵを漸進的に不活性化するために、電子制御装置５８は、倍力装置２６の前部のチャンバー３２内の負圧の適当な軽減を指令する。
従って、制動を補助する力の強さは、漸進的に減少し、このことが運転者にその制動の終わりのよりよい調整を可能にし、ブレーキペダル２０が運転者の足を叩くことは無くなる。
【００５０】
この不活性化は、減速を調整することを望む運転者に、緊急制動手順ＳＦＵを不活性化するために、ブレーキペダル２０から足を補足的に引き込め、次いでより軽く制動するために、ブレーキペダル２０を再度押し付ける必要を無くすこと可能にする。
【００５１】
一般に、緊急制動手順ＳＦＵの漸進的な不活性化の後では、運転者によってブレーキペダル２０に加えられる力は極めて弱くなるので、急激な不活性化が漸進的な不活性化の後に続く。
【００５２】
電子制御装置５８は、初期値をメモリすることが可能であり、これらの初期値によって、特に交通の状態に起因する停止の際の、車両１０の停止のための種々のセンサによって実行される測定を考慮に入れないことが可能になる。
【図面の簡単な説明】
【００５３】
【図１】本発明による方法を実施するための制動装置を備えた車両を示す略図である。
【図２】休止位置におけるブレーキの倍力装置を示す軸方向略断面図である。
【図３】作動位置におけるブレーキの倍力装置を示す図２に類似の図である。
【図４】「穏やかな」運転者の場合における、本発明による緊急制動手順の活性化の制御則を示すグラフである。
【図５】「スポーティな」運転者の場合における、本発明による緊急制動手順の活性化の制御則を示す図４に類似のグラフである。
【図６】本発明による緊急制動手順の不活性化の原則を示す流れ図である。
【図６】
2005506235.tif 000003
【国際公開パンフレット】
2005506235.tif 000004
2005506235.tif 000005
2005506235.tif 000006
2005506235.tif 000007
2005506235.tif 000008
2005506235.tif 000009
2005506235.tif 000010
2005506235.tif 000011
2005506235.tif 000012
2005506235.tif 000013
2005506235.tif 000014
2005506235.tif 000015
2005506235.tif 000016
2005506235.tif 000017
2005506235.tif 000018
2005506235.tif 000019
2005506235.tif 000020
2005506235.tif 000021
2005506235.tif 000022
2005506235.tif 000023
2005506235.tif 000024
2005506235.tif 000025
2005506235.tif 000026
2005506235.tif 000027
2005506235.tif 000028
2005506235.tif 000029
2005506235.tif 000030
2005506235.tif 000031
2005506235.tif 000032
2005506235.tif 000033
2005506235.tif 000034
2005506235.tif 000035
【国際調査報告】
2005506235.tif 000036
2005506235.tif 000037
2005506235.tif 000038
2005506235.tif 000039